(57)【要約】【課題】  直感的な把握が容易な表示を行う眼科用情報処理装置および眼科用情報処理プログラムを提供すること。【解決手段】  眼科用情報処理装置１は、被検眼の特性に関する情報を取得する（Ｓ１）。この情報には、被検眼の角膜前面形状に関する角膜情報と、被検眼内部の混濁，および角膜前面を除いた被検眼内部の屈折の少なくとも一方に関する眼内情報と、被検眼全体の屈折に関する屈折度情報と、が少なくとも含まれる。眼科用情報処理装置１は、表示制御処理（Ｓ３）が実行されることによって、眼球の構造を表す眼球モデル画像１０１と、屈折度情報を用いて生成された被検眼眼底にて結像される視標像のシミュレーション画像１０５，１０６と、をモニタ５０上に表示すると共に、角膜情報画像１０７を眼球モデル画像１０１上の角膜に対応付けて表示し、眼内情報画像１０８を眼球モデル画像１０１上の眼球内部に対応付けてモニタ５０上に表示する。【選択図】      図３
2015144730.tif 000002
【特許請求の範囲】
【請求項１】
被検眼の角膜前面形状に関する角膜情報と、被検眼内部の混濁，および角膜前面を除いた被検眼内部の屈折の少なくとも一方に関する眼内情報と、被検眼全体の屈折に関する屈折度情報と、を少なくとも含む被検眼の特性に関する情報を取得する眼情報取得手段と、
被検眼眼底にて結像される視標像のシミュレーション画像を前記眼情報取得手段によって取得される屈折度情報を少なくとも用いて生成するシミュレーション画像生成手段と、
眼球の構造を表す眼球モデル画像、および前記シミュレーション画像生成手段によって生成されるシミュレーション画像を表示装置に表示させると共に、前記眼情報取得手段によって取得される角膜情報による角膜情報画像を前記眼球モデル画像上の角膜に対応付けて前記表示装置に表示させ、前記眼情報取得手段によって取得される眼内情報による眼内情報画像を前記眼球モデル画像上の眼球内部に対応付けて前記表示装置に表示させる表示制御手段と、を備えることを特徴とする眼科用情報処理装置。
【請求項２】
被検眼の屈折誤差を矯正する矯正レンズの矯正データを取得する矯正データ取得手段を有し、
前記シミュレーション画像生成手段は、矯正レンズが装用された状態の被検眼眼底にて結像される視標像のシミュレーション画像である装用シミュレーション画像を、前記屈折度情報、および前記矯正データ取得手段によって取得される前記矯正データを少なくとも用いて生成することを特徴とする請求項１記載の眼科用情報処理装置。
【請求項３】
矯正レンズが装用された被検眼についてのシミュレーション画像を表示する第１の表示モード、および矯正レンズが非装用の被検眼についてのシミュレーション画像を表示する第２の表示モードを含む複数の表示モードから、１つの表示モードを選択するモード選択手段を有し、
前記シミュレーション画像生成手段は、前記矯正シミュレーション画像、および矯正レンズが非装用の被検眼についてのシミュレーション画像である非装用シミュレーション画像を生成し、
前記表示制御手段は、前記モード選択手段によって第１の表示モードが選択された場合には、前記矯正シミュレーション画像を表示装置に表示させ、前記モード選択受付手段によって第２の表示モードが選択された場合には、前記非矯正シミュレーション画像を表示装置に表示させることを特徴とする請求項２記載の眼科用情報処理装置。
【請求項４】
前記表示制御手段は、前記装用シミュレーション画像と共に、矯正レンズを表すレンズグラフィックを前記眼球モデル画像のレンズ装着位置に表示させることを特徴とする請求項２又は３記載の眼科用情報処理装置。
【請求項５】
前記表示制御手段は、更に、前記眼情報取得手段によって取得される屈折度情報に基づく屈折度情報画像であって、検査範囲における被検眼全体の屈折分布に関する屈折度情報画像を、前記表示装置に表示させることを特徴とする請求項１から４の何れかに記載の眼科用情報処理装置。
【請求項６】
前記表示制御手段は、被検眼の検査範囲において生じる３次以上の収差に関する二次元的なマップである高次収差情報を前記表示装置に表示させることを特徴とする請求項１から５の何れかに記載の眼科用情報処理装置。
【請求項７】
前記シミュレーション画像生成手段は、自覚検査用視標である第1視標についてシミュレーションされた第1シミュレーション画像、及び、点像である第２視標についてシミュレーションされた第２シミュレーション画像を生成し、
前記表示制御手段は、前記シミュレーション画像生成手段によって生成される第1シミュレーション画像および第２シミュレーション画像を同時に表示させることを特徴とする請求項１から６の何れかに記載の眼科用情報処理装置。
【請求項８】
前記シミュレーション画像生成手段は、明所視における被検眼の瞳孔径データに基づく明所視でのシミュレーション画像、及び、薄暮視における被検眼の瞳孔径データに基づく薄暮視でのシミュレーション画像を生成し、
前記表示制御手段は、前記シミュレーション画像生成手段によって生成される明所視でのシミュレーション画像と同時に明所視における被検眼の前眼部画像を前記眼球モデル画像の前眼部と対応付けて表示させ、前記シミュレーション画像生成手段によって生成される薄暮視でのシミュレーション画像と同時に薄暮視における被検眼の前眼部画像を前記眼球モデル画像の前眼部と対応付けて表示させることを特徴とすることを請求項１から７の何れかに記載の眼科用情報処理装置。
【請求項９】
被検眼の角膜前面形状に関する角膜情報と、被検眼全体の屈折に関する屈折度情報と、を少なくとも含む被検眼の特性に関する情報を取得する眼情報取得手段と、
被検眼の屈折誤差を矯正するための眼鏡レンズの処方値データを取得する矯正データ取得手段と、
眼鏡レンズが装用された状態の被検眼眼底にて結像される視標像のシミュレーション画像である装用シミュレーション画像を、前記眼情報取得手段によって取得される屈折度情報と前記矯正データ取得手段によって取得される矯正データとを用いて生成し、矯正レンズが非装用の被検眼眼底にて結像される視標像のシミュレーション画像である非装用シミュレーション画像を、前記屈折度情報を用いて生成するシミュレーション画像生成手段と、
前記装用シミュレーション画像を表示する第１の表示モード、および前記非装用シミュレーション画像を表示する第２の表示モードを含む複数の表示モードから、１つの表示モードを選択するモード選択手段と、
眼球の構造を表す眼球モデル画像、前記眼球モデルの角膜と対応付けて配置される角膜情報画像であって、前記眼情報取得手段によって取得される角膜情報による角膜情報画像、および、前記眼球モデル画像と対応付けて配置される屈折度情報画像であって、前記眼情報取得手段によって取得される屈折度情報による屈折度情報画像を前記表示装置に表示させる表示制御手段と、を有し、
前記表示制御手段は、更に、前記モード選択手段によって第１の表示モードが選択される場合には、前記装用シミュレーション画像を前記表示装置に表示させると共に前記眼球モデル画像の眼球に対する眼鏡レンズの装用を表す態様で眼鏡レンズを表すレンズグラフィックを前記表示装置に表示させ、前記モード選択手段によって第２の表示モードが選択される場合には、前記非装用シミュレーション画像を前記表示装置に表示させると共に、前記レンズグラフィックの表示態様を前記眼球モデル画像の眼球に対し眼鏡レンズの非装用を表す態様にすることを特徴とする眼科用情報処理装置。
【請求項１０】
眼科用情報処理装置のプロセッサに実行されることによって、
被検眼の角膜前面形状に関する角膜情報と、被検眼内部の混濁，および角膜前面を除いた被検眼内部の屈折の少なくとも一方に関する眼内情報と、被検眼全体の屈折に関する屈折度情報と、を少なくとも含む被検眼の特性に関する情報を取得する眼情報取得ステップと、
被検眼眼底にて結像される視標像のシミュレーション画像を前記眼情報取得ステップによって取得される屈折度情報を少なくとも用いて生成するシミュレーション画像生成ステップと、
眼球の構造を表す眼球モデル画像、および前記シミュレーション画像生成ステップによって生成されるシミュレーション画像を表示装置に表示させると共に、前記眼情報取得ステップによって取得される角膜情報による角膜情報画像を前記眼球モデル画像上の角膜に対応付けて前記表示装置に表示させ、前記眼情報取得手段によって取得される眼内情報による眼内情報画像を前記眼球モデル画像上の眼球内部に対応付けて前記表示装置に表示させる表示制御ステップと、を眼科用情報処理装置に実行させることを特徴とする眼科用情報処理プログラム。
【請求項１１】
眼科用情報処理装置のプロセッサに実行されることによって、
被検眼の角膜前面形状に関する角膜情報と、被検眼全体の屈折に関する屈折度情報と、を少なくとも含む被検眼の特性に関する情報を取得する眼情報取得ステップと、
被検眼の屈折誤差を矯正する眼鏡レンズの矯正データを取得する矯正データ取得ステップと、
眼鏡レンズが装用された状態の被検眼眼底にて結像される視標像のシミュレーション画像である装用シミュレーション画像を、前記眼情報取得ステップによって取得される屈折度情報と前記矯正データ取得ステップによって取得される矯正データとを用いて生成し、矯正レンズが非装用の被検眼眼底にて結像される視標像のシミュレーション画像である非装用シミュレーション画像を、前記屈折度情報を用いて生成するシミュレーション画像生成ステップと、
前記装用シミュレーション画像を表示する第１の表示モード、および前記非装用シミュレーション画像を表示する第２の表示モードを含む複数の表示モードから、１つの表示モードを選択するモード選択ステップと、
眼球の構造を表す眼球モデル画像、前記眼球モデルの角膜と対応付けて配置される角膜情報画像であって、前記眼情報取得ステップによって取得される角膜情報による角膜情報画像、および、前記眼球モデル画像と対応付けて配置される屈折度情報画像であって、前記眼情報取得ステップによって取得される屈折度情報による屈折度情報画像を前記表示装置に表示させる表示制御ステップと、を眼科用情報処理装置に実行させる眼科用情報処理プログラムであって、
前記表示制御ステップには、更に、前記モード選択ステップによって第１の表示モードが選択される場合には、前記装用シミュレーション画像を前記表示装置に表示させると共に前記眼球モデル画像の眼球に対する眼鏡レンズの装用を表す態様で眼鏡レンズを表すレンズグラフィックを前記表示装置に表示させ、前記モード選択ステップによって第２の表示モードが選択される場合には、前記非装用シミュレーション画像を前記表示装置に表示させると共に、前記レンズグラフィックの表示態様を前記眼球モデル画像の眼球に対し眼鏡レンズの非装用を表す態様にする処理が含まれることを特徴とする眼科用情報処理プログラム。
【発明の詳細な説明】
【技術分野】
【０００１】
本発明は、被検眼に関する複数種類の特性を統合的に表示する眼科用情報処理装置および眼科用情報処理プログラムに関する。
【背景技術】
【０００２】
従来より、検眼装置によって得られた被検眼の各部位の特性に関する情報を示す画像を、統合的に表示する装置が知られている。例えば、特許文献１には、波面収差の解析マップと、角膜前面形状の解析マップとが、同時に表示される装置が記載されている。
【０００３】
また、被検眼の波面収差データを得ておき、眼鏡レンズ等によって屈折誤差が矯正された被検眼での視標像の見え方を、ソフトウェアによってシミュレーションする装置が知られている。例えば、特許文献２では、眼内レンズが装用された場合の見え方シミュレーションが開示されている。
【先行技術文献】
【特許文献】
【０００４】
【特許文献１】特開２０１０−２０１０７２号公報
【特許文献２】特開２０１３−２３６９０２号公報
【発明の概要】
【発明が解決しようとする課題】
【０００５】
しかしながら、特許文献１のように、各部位の特性に関する情報を示す画像が画面上に並べられただけ、あるいは、特許文献２のように、シミュレーション画像等が画面上に並べられただけでは、検査に不慣れな者は把握し難い場合がある。
【０００６】
本発明は、上記従来技術の問題点を鑑みてなされたものであり、直感的な把握が容易な表示を行う眼科用情報処理装置および眼科用情報処理プログラムを提供することを目的とする。
【課題を解決するための手段】
【０００７】
本発明の第一態様に係る眼科用情報処理装置は、被検眼の角膜前面形状に関する角膜情報と、被検眼内部の混濁，および角膜前面を除いた被検眼内部の屈折の少なくとも一方に関する眼内情報と、被検眼全体の屈折に関する屈折度情報と、を少なくとも含む被検眼の特性に関する情報を取得する眼情報取得手段と、被検眼眼底にて結像される視標像のシミュレーション画像を前記眼情報取得手段によって取得される屈折度情報を少なくとも用いて生成するシミュレーション画像生成手段と、眼球の構造を表す眼球モデル画像、および前記シミュレーション画像生成手段によって生成されるシミュレーション画像を表示装置に表示させると共に、前記眼情報取得手段によって取得される角膜情報による角膜情報画像を前記眼球モデル画像上の角膜に対応付けて前記表示装置に表示させ、前記眼情報取得手段によって取得される眼内情報による眼内情報画像を前記眼球モデル画像上の眼球内部に対応付けて前記表示装置に表示させる表示制御手段と、を備える。
【０００８】
また、本発明の第二態様に係る眼科用情報処理装置は、被検眼の角膜前面形状に関する角膜情報と、被検眼全体の屈折に関する屈折度情報と、を少なくとも含む被検眼の特性に関する情報を取得する眼情報取得手段と、被検眼の屈折誤差を矯正するための眼鏡レンズの処方値データを取得する矯正データ取得手段と、眼鏡レンズが装用された状態の被検眼眼底にて結像される視標像のシミュレーション画像である装用シミュレーション画像を、前記眼情報取得手段によって取得される屈折度情報と前記矯正データ取得手段によって取得される矯正データとを用いて生成し、矯正レンズが非装用の被検眼眼底にて結像される視標像のシミュレーション画像である非装用シミュレーション画像を、前記屈折度情報を用いて生成するシミュレーション画像生成手段と、前記装用シミュレーション画像を表示する第１の表示モード、および前記非装用シミュレーション画像を表示する第２の表示モードを含む複数の表示モードから、１つの表示モードを選択するモード選択手段と、眼球の構造を表す眼球モデル画像、前記眼球モデルの角膜と対応付けて配置される角膜情報画像であって、前記眼情報取得手段によって取得される角膜情報による角膜情報画像、および、前記眼球モデル画像と対応付けて配置される屈折度情報画像であって、前記眼情報取得手段によって取得される屈折度情報による屈折度情報画像を前記表示装置に表示させる表示制御手段と、を有し、前記表示制御手段は、更に、前記モード選択手段によって第１の表示モードが選択される場合には、前記装用シミュレーション画像を前記表示装置に表示させると共に前記眼球モデル画像の眼球に対する眼鏡レンズの装用を表す態様で眼鏡レンズを表すレンズグラフィックを前記表示装置に表示させ、前記モード選択手段によって第２の表示モードが選択される場合には、前記非装用シミュレーション画像を前記表示装置に表示させると共に、前記レンズグラフィックの表示態様を前記眼球モデル画像の眼球に対し眼鏡レンズの非装用を表す態様にする。
【０００９】
本発明の第三態様に係る眼科用情報処理プログラムは、眼科用情報処理装置のプロセッサに実行されることによって、被検眼の角膜前面形状に関する角膜情報と、被検眼内部の混濁，および角膜前面を除いた被検眼内部の屈折の少なくとも一方に関する眼内情報と、被検眼全体の屈折に関する屈折度情報と、を少なくとも含む被検眼の特性に関する情報を取得する眼情報取得ステップと、被検眼眼底にて結像される視標像のシミュレーション画像を前記眼情報取得ステップによって取得される屈折度情報を少なくとも用いて生成するシミュレーション画像生成ステップと、眼球の構造を表す眼球モデル画像、および前記シミュレーション画像生成ステップによって生成されるシミュレーション画像を表示装置に表示させると共に、前記眼情報取得ステップによって取得される角膜情報による角膜情報画像を前記眼球モデル画像上の角膜に対応付けて前記表示装置に表示させ、前記眼情報取得手段によって取得される眼内情報による眼内情報画像を前記眼球モデル画像上の眼球内部に対応付けて前記表示装置に表示させる表示制御ステップと、を眼科用情報処理装置に実行させる。
【００１０】
本発明の第四態様に係る眼科用情報処理プログラムは、眼科用情報処理装置のプロセッサに実行されることによって、被検眼の角膜前面形状に関する角膜情報と、被検眼全体の屈折に関する屈折度情報と、を少なくとも含む被検眼の特性に関する情報を取得する眼情報取得ステップと、被検眼の屈折誤差を矯正する眼鏡レンズの矯正データを取得する矯正データ取得ステップと、眼鏡レンズが装用された状態の被検眼眼底にて結像される視標像のシミュレーション画像である装用シミュレーション画像を、前記眼情報取得ステップによって取得される屈折度情報と前記矯正データ取得ステップによって取得される矯正データとを用いて生成し、矯正レンズが非装用の被検眼眼底にて結像される視標像のシミュレーション画像である非装用シミュレーション画像を、前記屈折度情報を用いて生成するシミュレーション画像生成ステップと、前記装用シミュレーション画像を表示する第１の表示モード、および前記非装用シミュレーション画像を表示する第２の表示モードを含む複数の表示モードから、１つの表示モードを選択するモード選択ステップと、眼球の構造を表す眼球モデル画像、前記眼球モデルの角膜と対応付けて配置される角膜情報画像であって、前記眼情報取得ステップによって取得される角膜情報による角膜情報画像、および、前記眼球モデル画像と対応付けて配置される屈折度情報画像であって、前記眼情報取得ステップによって取得される屈折度情報による屈折度情報画像を前記表示装置に表示させる表示制御ステップと、を眼科用情報処理装置に実行させる眼科用情報処理プログラムであって、前記表示制御ステップには、更に、前記モード選択ステップによって第１の表示モードが選択される場合には、前記装用シミュレーション画像を前記表示装置に表示させると共に前記眼球モデル画像の眼球に対する眼鏡レンズの装用を表す態様で眼鏡レンズを表すレンズグラフィックを前記表示装置に表示させ、前記モード選択ステップによって第２の表示モードが選択される場合には、前記非装用シミュレーション画像を前記表示装置に表示させると共に、前記レンズグラフィックの表示態様を前記眼球モデル画像の眼球に対し眼鏡レンズの非装用を表す態様にする処理が含まれる。
【発明の効果】
【００１１】
本発明によれば、直感的な把握が容易な表示を行うことができる。
【図面の簡単な説明】
【００１２】
【図１】本実施形態における眼科用情報処理装置の全体構成を示したブロック図である。
【図２】眼科用情報処理プログラムの処理の流れを示すフローチャートである。
【図３】眼科用情報処理プログラムが実行されることによってモニタに表示される画像の一例を示した図である。
【発明を実施するための形態】
【００１３】
以下、図面を参照して、本発明の一実施形態を図面に基づいて説明する。はじめに、図１を参照し、本実施形態において眼科用情報処理プログラムが実行される眼科用情報処理装置１の全体構成を説明する。
【００１４】
本実施形態の眼科用情報処理装置１（以下、「眼科用情報処理装置１」を、「処理装置１」と省略する）は、被検眼の屈折に関する情報を処理することによって、被検眼における視標像の見え方をシミュレーションする。その結果として、視標像の見え方がシミュレーションされたシミュレーション画像が生成される。詳細は後述するが、シミュレーション画像の態様には、裸眼における視標像の見え方を示す画像のほか、屈折誤差が矯正された被検眼における視標像の見え方を示す画像が含まれる。本実施形態の処理装置１は、シミュレーション画像の他に、被検眼が持つ眼光学系の特性に関する情報を示す特性情報画像（例えば、角膜前面形状解析マップ、収差マップ、徹照像等）を出力する。詳細は後述するが、本実施形態の処理装置１は、更に、眼球の構造を表した眼球モデル画像を表示させることによって、シミュレーション画像と特性情報画像との関連性を直感的に把握させやすい表示を行う。
【００１５】
本実施形態において、処理装置１は、ＣＰＵ（演算処理部）３０、記憶部（メモリ）３５、操作入力部（以下、入力部）４０、プリンタ４３、モニタ５０、画像処理部３１等、から構成されており、各部はバス等を介して接続されている。
【００１６】
ＣＰＵ３０は、各部の動作をプログラムに基づいて制御するプロセッサである。入力部４０は、検者によって操作される入力装置である。入力部４０としては、スイッチ、キーボード、およびポインティングデバイス（例えば、マウス及びタッチパネル）等が用いられる。画像処理部３１は、ＣＰＵ３０からの指令に基づいて各種画像処理を行う。また、画像処理部３１は、ＣＰＵ３０からの指令に基づいて各種画像等をモニタ５０の表示画面に表示させる。記憶部３５は、ＣＰＵ３０によって実行される各種プログラム等を記憶する。後述の眼科用情報処理プログラムも、記憶部３５に記憶される。記憶部３５としては、例えば、半導体メモリ、磁気記憶装置、光学記憶装置等が用いられる。モニタ５０は、出力装置として用いられ、ＣＰＵ３０によって制御される。本実施例のモニタ５０は、検者による入力操作が可能なタッチパネルであり、入力部４０としての機能を持つ。
【００１７】
また、処理装置１には、被検眼の特性に関する情報（以下、特性情報と称す）を得るための検眼装置が接続され得る。例えば、本実施形態では、主に、前眼部測定装置１０が処理装置１に接続される。処理装置１と前眼部測定装置１０とは、別筐体であってもよい。この場合、眼科用情報処理プログラムを実行可能な汎用のコンピュータ（例えば、ＰＣ）を、処理装置１として実施できる。また、処理装置１と前眼部測定装置１０とは、一体化された構成であってもよい。この場合は、処理装置１のＣＰＵ３０が、前眼部測定装置１０の各部を制御する構成としてもよい。
【００１８】
前眼部測定装置１０は、前眼部（角膜、虹彩、及び水晶体等）における光学的なパラメータを測定するために用いられる。例えば、本実施形態の前眼部測定装置１０は、被検眼角膜に測定光を照射しその反射光を受光することによって、被検眼の角膜形状（少なくとも、角膜前面形状を含む）を測定する。前眼部測定装置１０によって得られた角膜前面形状データの解析によって、角膜前面の屈折データ（例えば、屈折度分布）、曲率データ（例えば、曲率分布）、三次元形状データおよび収差データ（収差マップデータ、高次収差マップデータ等）等の角膜前面形状に関する各種の情報が得られる。
【００１９】
以下、本実施形態の前眼部測定装置１０を、被検眼角膜にプラチド指標を投影し、その反射光を受光することによって、前眼部における光学的なパラメータ（例えば、角膜前面形状等）を測定する装置として説明する。なお、前眼部測定装置１０の他の態様としては、例えば、光干渉の原理を用いて前眼部における光学的なパラメータを測定する装置（前眼部光コヒーレンストモグラフィー）等が挙げられる。
【００２０】
本実施例の前眼部測定装置１０は、プラチド板１１、照明光源１２、前眼部撮像光学系１５、および、制御部１６を有する。プラチド板１１には、多数のプラチドリングが形成されている。照明光源１２は、プラチド板１１のリングパターンを、被検眼に対しほぼ均一に照明する。前眼部撮像光学系１５は、撮影レンズ１３、二次元撮像素子１４を有する。前眼部撮像光学系１５は、被検眼角膜に投影されたリングパターン像を、二次元撮像素子１４を用いて撮像する。リングパターン像が解析されることによって、角膜前面形状に関する情報が得られる。
【００２１】
また、本実施形態において、前眼部撮影光学系１５は、被検眼の瞳孔部を含む前眼部画像を撮影する。前眼部画像からは、例えば、被検眼の瞳孔径が測定される。なお、前眼部測定装置１０は、照明光の光量を切り替えて被検眼が撮像可能な構成であってもよい。例えば、前眼部撮影光学系１５によって、明所視および薄暮視のそれぞれにおける被検眼の前眼部画像が撮像されてもよい。この場合、明所視撮影用の第１の照明光量と、第１の照明光量よりも少ない薄暮視撮影用の第２の照明光量とに、照明光源１２の出力が調節可能な構成とされていてもよい。
【００２２】
また、本実施形態の前眼部測定装置１０は、被検眼に測定光束を投影し、測定光束の眼底反射光を受光することによって、被検眼全体の屈折データ、および波面データ等を測定する測定光学系（例えば、特開平１０−１０８８３７に開示された位相差方式、及びシャックハルトマンセンサを用いた眼収差計など）を備える（図示を省略する）。
【００２３】
また、前眼部測定装置１０は、被検眼の瞳孔内画像（いわゆる徹照像）を撮影可能な構成であってもよい。例えば、被検眼全体の屈折データ、および波面データ等を測定する測定光学系の測定光源を点灯させて被検眼の瞳孔内に照明光を投影し、その照明光の眼底反射光によって図示なき撮像素子に投影される像を画像化することによって、徹照像が撮像される。
【００２４】
なお、処理装置１と前眼部測定装置１０とは、ＬＡＮ等で接続されている。これにより、前眼部測定装置１０で得られた情報が、処理装置１の記憶部３５に転送される。
【００２５】
処理装置１は、前眼部測定装置１０以外の眼科装置６０（例えば、眼軸長測定装置、光干渉断層計等）と接続できる。これにより、前眼部測定装置１０では得ることのできない特性情報（例えば、眼軸長データ、角膜または眼底の断面画像データ等）を得ることができる。
【００２６】
次に、図２のフローチャートを参照して、眼科用情報処理プログラムがＣＰＵ３０で実行されることによって、処理装置１にて行われる処理の一例を示す。
【００２７】
まず、眼情報取得処理（Ｓ１）では、被検眼の特性情報が、処理装置１によって取得される。Ｓ１の処理によって得られる特性情報には、被検眼の角膜前面形状に関する角膜情報（例えば、角膜前面の三次元形状データ、曲率データ、屈折データ、収差データ等）と、被検眼内部の混濁および角膜前面を除いた被検眼内部の屈折の少なくとも一方に関する眼内情報（例えば、被検眼内部の混濁の程度を示す情報、および、角膜前面を除いた被検眼内部の屈折データ、収差データ等）と、被検眼全体の屈折に関する屈折度情報（例えば、屈折データ、および収差データ等）と、が少なくとも含まれる。また、被検眼の寸法情報（例えば、瞳孔径データ、眼軸長データ等）が特性情報として取得されてもよい。特性情報の態様としては、検眼装置（例えば、前眼部測定装置１０等）による被検眼の測定結果だけでなく、検眼装置で撮像された画像（例えば、前眼部画像、リングパターン画像、徹照像等）の画像データが含まれる。詳細については後述するが、本実施形態において、Ｓ１の処理によって取得される特性情報（より具体的には、被検眼全体の屈折度情報）は、被検眼における視標像の見え方を示すシミュレーション画像を生成するために利用される（Ｓ３参照）。また、Ｓ１の処理によって取得される特性情報は、被検眼の特性情報画像を表示する場合に利用される（Ｓ４参照）。
【００２８】
本実施形態において、Ｓ１の処理は、処理装置１と接続される検眼装置から、検眼装置で得られた測定結果および画像等を記憶部３５等へ転送する処理として説明する。しかし、処理の内容は、必ずしもこれに限定されない。例えば、検眼装置による被検眼の測定結果等が記憶された外部記憶装置から測定結果等を記憶部３５に取り込む処理、検眼装置による測定結果等を解析し解析結果を特性情報として得る処理等が、Ｓ１の処理として行われてもよい。勿論、これらの処理の組み合わせが行われてもよい。
【００２９】
矯正データ取得処理（Ｓ２）では、被検眼の屈折誤差を矯正する矯正レンズの矯正データが処理装置１によって取得される。本実施形態では、矯正レンズとして眼鏡レンズを想定する場合について説明する。但し、コンタクトレンズおよび眼内レンズ等が矯正レンズとして想定される態様であってもよい。矯正データは、例えば、実際のレンズメータのデータでもよいし、オートレフ及び波面センサ等による測定結果でもよいし、自覚検査の結果でもよいし、検者による入力値であってもよい。更に、矯正データには、被検者と視標までの距離に関する使用距離情報が含まれてもよいし、被検眼に対する矯正レンズの配置間隔に関するレンズ配置間隔情報が含まれてもよい。以下、Ｓ２の処理では、入力部４０に対する検者の入力操作によって入力されたレンズのパラメータ（例えば、Ｓ（球面度数）、Ｃ（柱面度数）、Ａ（乱視軸角度）の各値）が、矯正データとしてＣＰＵ３０によって取得されるものとして説明する。但し、必ずしもこれに限定されない。例えば、Ｓ２の処理は、矯正データを、処理装置１に接続される眼科装置および外部記憶装置等から処理装置１が受信する処理等であってもよい。
【００３０】
Ｓ２の処理によって取得される矯正データは、被検眼の屈折度情報と共に、シミュレーション画像を生成するために利用される。なお、本実施形態の処理装置１は、矯正レンズが装用された場合のシミュレーション画像（装用シミュレーション画像）だけでなく、裸眼の場合のシミュレーション画像（非装用シミュレーション画像）を生成することもできる。例えば、矯正データの球面度数Ｓおよび柱面度数Ｃが０（Ｄ）の場合のほか、入力部４０によって裸眼の状態でのシミュレーションを行う旨の指示を受け付けた場合等に、非装用シミュレーション画像が生成されてもよい。
【００３１】
図２のフローチャートでは、次に、シミュレーション画像生成処理（Ｓ３）がＣＰＵ３０によって実行される。Ｓ３の処理において、ＣＰＵ３０は、Ｓ１の処理によって取得される被検眼全体の屈折度情報に少なくとも基づいてシミュレーション画像を生成する（Ｓ３）。シミュレーション画像は、被検眼の眼底（網膜）で結像される視標像を表す。つまり、被検眼における視標像の見え方がシミュレーション画像によって表される。
【００３２】
Ｓ３の処理では、様々な視標を用いてシミュレーション画像を生成できる。例えば、本実施形態では、一つ又は複数の自覚検査用の視標（視力検査用視標、乱視標、スクリーニング用視標等）の見え方を示した第1シミュレーション画像１０５と、点像（点視標）の見え方を示した第２シミュレーション画像１０６と、が生成される（図３参照）。なお、第２シミュレーション画像１０６は、被検眼の波面収差をフーリエ変換することによって得られた点像強度分布（ＰＳＦ）を、二次元的に示した画像であってもよい。第1シミュレーション画像１０５は、例えば、点像強度分布（ＰＳＦ）を更にフーリエ変換することによって得られる光学伝達関数（ＯＴＦ）に、自覚検査用視標の空間周波数分布を掛け合わせることによって得られる。
【００３３】
なお、本実施形態において、Ｓ２の処理で取得される矯正レンズの矯正データが、シミュレーションにおいて加味される。この場合は、シミュレーション画像１０５，１０６として、前述の装用シミュレーション画像が、矯正データおよび被検眼の屈折度情報を少なくとも用いて生成される。装用シミュレーション画像は、矯正レンズが装用された状態の被検眼眼底にて結像される視標像を表す。また、Ｓ３の処理において、矯正レンズが非装用（即ち、裸眼）の状態の被検眼眼底にて結像される視標像を表す非装用シミュレーション画像が、シミュレーション画像１０５，１０６として生成されてもよい。非装用シミュレーション画像は、被検眼の屈折度情報を少なくとも用いて生成される。
【００３４】
また、本実施形態において、シミュレーションを行ううえで使用される有効瞳孔径には、明所視における被検眼の瞳孔径、及び、薄暮視における被検眼の瞳孔径が使用される。２種類の瞳孔径のうちいずれが使用されるかは、シミュレーションにおける被検眼の環境に応じて定められてもよい。より詳細には、明所視でのシミュレーション画像を生成する場合には、明所視における被検眼の瞳孔径データが使用される。また、薄暮視でのシミュレーション画像を生成する場合には、薄暮視における被検眼の瞳孔径データが使用される。なお、明所視瞳孔径データ、および薄暮視の瞳孔径データのそれぞれは、例えば、明所視の前眼部画像および暗所視の前眼部画像のそれぞれから測定される。なお、シミュレーションにて想定する被検眼の環境は、入力部４０に対する入力によって検者が設定する構成であってもよい（詳細については後述する）。
【００３５】
また、本実施形態の装置では、シミュレーションにおいて使用される被検眼と自覚検査用視標との距離、および被検眼に対する矯正レンズの配置間隔は、一定の値であってもよいし、調節可能な値であってもよい。値が調節可能である場合、Ｓ２の処理にて取得される矯正データに基づく値が用いられてもよいし、別途取得された値（例えば、入力部４０への操作に基づいて入力された値）であってもよい。
【００３６】
図２のフローチャートでは、次に、表示制御処理（Ｓ４）がＣＰＵ３０によって実行される。その結果、眼球モデル画像１０１、およびシミュレーション画像１０５，１０６と共に、眼光学系の状態を示す画像が、モニタ５０に表示される（図３参照）。
【００３７】
眼球モデル画像１０１は、眼の構造を表している。本実施形態において、眼球モデル画像１０１には、眼球を斜め方向から透視することによって三次元的な眼の構造を示した模式図が使用される。但し、前後方向の軸（例えば、視軸）に垂直な断面による断面図（又は、断面模式図）等が眼球モデル画像１０１として用いられてもよい。また、図３には、眼の全体形状を表す眼球モデル画像１０１が示されているが、必ずしもこれに限定されるものではなく、眼の一部分の構造を表す画像が用いられてもよい。例えば、角膜と水晶体とを含む前眼部部分のみの画像が用いられてもよい。また、本実施形態では、被検眼の実際の形状とは無関係な形状で眼球モデル画像１０１が形成される。しかし、必ずしもこれに限られるものではない。例えば、眼球モデル画像１０１は、ＯＣＴ等の検眼装置によって測定された被検眼の形状データに基づいて形成されてもよい。
【００３８】
また、図３の眼球モデル画像１０１は、角膜の位置に、角膜を表す角膜グラフィック１０２を有する。また、眼球モデル画像１０１の水晶体の位置、および眼底の位置には、水晶体を表す水晶体グラフィック１０３、および眼底を表す眼底グラフィック１０４がそれぞれ形成される。
【００３９】
また、眼球モデル画像１０１上には、被検眼の形状を示す情報が表示されてもよい。例えば、図３に示されている角膜曲率の他、眼軸長、角膜厚、前房深度、水晶体厚、硝子体厚、瞳孔径、および角膜径等の測定値（即ち、被検眼の寸法情報）が、眼球モデル画像１０１上に示されてもよい。
【００４０】
また、モニタ５０には、Ｓ３の処理によって生成されたシミュレーション画像１０５，１０６が表示される。本実施形態において、自覚検査用視標の見え方を示す第1シミュレーション画像１０５は、眼球モデル画像１０１の視線方向前方に（後述のレンズグラフィック１１０が配置される場合は、更にその前方に）配置される。また、点像の見え方を示す第２シミュレーション画像１０６は、本実施形態では、眼球モデル画像１０１の眼底と対応付けて表示される。図３において、第１シミュレーション画像１０５には、視力表が用いられている。視力表には、視力検査用指標が視力値毎に複数個並べられている。図３に示すように、モニタ５０上には、自覚検査用視標と被検眼（又は、眼鏡レンズ）とのシミュレーションにおける距離を示す情報（例えば数値等）がモニタ５０上に表示されてもよい。
【００４１】
図３に示すように、本実施形態では、Ｓ４の処理によって、第1シミュレーション画像１０５と、第２シミュレーション画像１０６とが、同一画面上で同時に表示される。第１シミュレーション画像による大観的な被検眼の見え方と、第２シミュレーション画像１０６による詳細な像のぼやけ具合（より詳細には、像がぼやける方向、程度等）とを、検者が同時に確認できるので、検者は、矯正レンズの処方値を良好に設定しやすい。なお、本実施形態において、複数の画像の表示を同時に行うとは、複数の画像が一度に視認可能な状態に置かれることをいう。
【００４２】
また、Ｓ３の処理によって、矯正レンズが装用された状態の被検眼についての装用シミュレーション画像と、矯正レンズが装用されていない状態の被検眼についての非装用シミュレーション画像との両方が生成される場合も考えられる。この場合、本実施形態では、いずれか一方の画像を選択的にモニタ５０上に表示させる処理が、Ｓ４の処理において行われる。Ｓ４の処理にていずれの画像が表示されるかは、モード選択処理によってＣＰＵ３０が選択する。モード選択処理では、装用シミュレーション画像を表示する第１の表示モードと、非装用シミュレーション画像が表示される第２の表示モードを含む複数の表示モードから、ＣＰＵ３０が１つの表示モードを選択する。詳細は後述するが、本実施形態において、ＣＰＵ３０による表示モードの選択は、入力部４０への操作入力に基づいて行われる。モード選択処理によって第１の表示モードが選択される場合には、ＣＰＵ３０は、Ｓ４の処理によって矯正シミュレーション画像をモニタ５０に表示させる。また、モード選択処理によって第２の表示モードが選択される場合には、ＣＰＵ３０は、Ｓ４の処理によって非矯正シミュレーション画像をモニタ５０に表示させる。なお、装用シミュレーション画像および非装用シミュレーション画像の表示態様は、一方の画像が選択的に表示される態様に限られるものではない。例えば、２種類のシミュレーション画像は、同一画面上に同時に表示されてもよい。
【００４３】
また、眼球モデル画像１０１から第1シミュレーション画像１０６までの距離を変更する表示制御が、Ｓ４の処理において行われてもよい。例えば、ポインティングデバイス等によって指定されたモニタ５０上の位置に、第1シミュレーション画像１０６を移動させる処理がＣＰＵ３０によって行われてもよい。また、更に、眼球モデル画像１０１と第1シミュレーション画像１０６との距離に連動して、シミュレーションにおける被検眼と視標との距離が変更されたシミュレーション画像を生成する処理（例えば、Ｓ３の処理）と、モニタ５０上のシミュレーション画像を、変更後の被検眼と視標との距離でシミュレーションされた画像に更新する表示制御処理（Ｓ４）とが、ＣＰＵ３０によって行われてもよい。これによれば、シミュレーションにおける被検眼と視標との距離を、検者が直感的に変更できる。
【００４４】
また、本実施形態では、被検眼が持つ眼光学系の特性に関する情報を示す特性情報画像が、眼球モデル画像１０１上の部位と対応付けて表示される。具体例として、図３においては、眼球モデル画像１０１の角膜、および眼球内部のそれぞれと対応付けて、角膜情報画像１０２、眼内情報画像１０３のそれぞれが表示される。また、本実施形態では、眼球モデル画像１０１の前眼部と対応付けて、屈折度情報画像１０９ａ，１０９ｂと、明所視または薄暮視における前眼部画像１１１とが表示される。本実施形態の処理装置１では、各々の特性情報画像が眼球モデル画像１０１上の部位と対応付けて表示される。このため、眼科分野の画像に不慣れな者であっても、各々の特性情報画像によって被検眼のいずれの部位についての情報が示されるかを把握しやすい。
【００４５】
角膜情報画像１０７は、被検眼の角膜前面形状に関する特性を二次元的に表す。角膜情報画像１０７は、Ｓ１の処理によって取得された角膜情報（例えば、角膜前面の三次元形状データ、曲率データ、屈折データ、及び収差データ等）に基づいて生成される。角膜情報画像１０７としては、図３に示す角膜前面の曲率マップの他、例えば、角膜前面の形状マップ、屈折マップ、および収差解析マップ等が用いられてもよい。また、角膜形状測定指標の前眼部反射像が、角膜情報画像１０７として用いられてもよい。角膜形状測定指標としては、前眼部測定装置１０によって被検眼に投影されるプラチドリング等のリングパターン像等が例示される。また、角膜断面画像、角膜断面画像に対する解析結果を示す画像等が、角膜情報画像１０７として用いられてもよい。角膜断面画像は、例えば、前眼部ＯＣＴ、及びシャインプルークカメラ等によって撮影された画像であってもよい。角膜情報画像１０７は、眼球モデル画像１０１の角膜と対応付けて表示されるので、眼科分野の画像に不慣れな者であっても、角膜情報画像１０７が角膜の状態を示していることを容易に把握できる。例えば、角膜情報画像１０７として表示されるマップが乱れている場合には、角膜異常の疑いがあることが推察される。
【００４６】
眼内情報画像１０８は、主に、被検眼内部の混濁および屈折の少なくとも一方に関する特性を二次元的に表す。眼内情報画像１０８は、Ｓ１の処理によって取得された眼内情報に基づいて生成される。被検眼内部の混濁に関する眼内情報画像１０８としては、例えば、徹照像の画像データに基づいて生成さる徹照像、および徹照像の解析結果画像等が含まれる。徹照像には、瞳孔内の混濁の形状が写されるため、被検眼の中間透光体おける混濁の有無、および程度が、徹照像等によって確認される。また、眼内情報画像１０８は、例えば、角膜前面を除く被検眼内部についての屈折度情報（例えば、屈折データ、および収差データ等）に基づいて生成されるマップ画像（例えば、屈折マップ、収差マップ等）であってもよい。ところで、角膜前面を除く被検眼内部の屈折マップは、例えば、被検眼全体における屈折分布と、角膜前面における屈折分布の差分を用いて得ることができる（詳しくは、特開２００６−２６２４２号公報参照）。眼内情報画像１０８は、眼球モデル画像１０１の眼球内部と対応付けて表示されるので、眼科分野の画像に不慣れな者であっても、眼内情報画像１０８が眼球内部の状態を示していることを容易に把握できる。特に、本実施形態では、図３に示すように、眼内情報画像１０８が、眼球モデル画像１０１の水晶体と対応付けて表示される。水晶体は、眼の内部において、混濁、および屈折異常が生じる典型的な部位である。よって、眼科分野の画像に不慣れな者であっても、眼内情報画像１０８が、特に、水晶体の状態と強い関係性があることを容易に把握できる。
【００４７】
また、シミュレーション画像１０５，１０６において不明瞭な視標像が形成されている場合に、視標像を不明瞭にする原因の特定が、角膜情報画像１０７の内容からは難しい場合がある。このとき、眼内情報画像１０８の内容に、視標像を不明瞭にする原因が示される場合が有る。例えば、眼内情報画像１０８によって被検眼内部に混濁があることが示されていれば、被検眼の屈折誤差を矯正しても視標像に不鮮明さが残ることは推察される。また、例えば、乱れた屈折分布が眼内情報画像１０８にて示されていれば、被検眼内部の屈折異常に起因する不正乱視等が推察される。
【００４８】
また、屈折度情報画像１０９は、検査範囲における被検眼全体の屈折に関する特性を二次元的に表す。屈折度情報画像１０９は、Ｓ１の処理によって取得された被検眼全体の屈折度情報（例えば、屈折データ、および収差データ等）に基づいて生成される。屈折度情報画像１０９の態様としては、例えば、屈折マップ、波面マップ、眼鏡矯正不能成分マップ、ハルトマンシャック像等が含まれる。屈折度情報画像１０９によって、被検眼全体（被検眼全眼）の屈折の状態が表される。
【００４９】
屈折度情報画像１０９の一態様である屈折マップ１０９ａは、被検眼全体の屈折分布を示す。また、屈折度情報画像１０９の一態様である眼鏡矯正不能成分マップ１０９ｂは、検査範囲における高次（３次以上）の収差の分布を表す。図３に示すように、屈折度情報画像１０９には、被検眼の屈折力に関する各種の値が付加されてもよい。例えば、被検眼の屈折力を示す値が付加されていてもよい（マップ１０９ａ参照）。例えば、Ｓ，Ｃ，Ａの各値が表示されてもよい。また、瞳孔径が表示されてもよい。屈折を示す値、および瞳孔径は、明所視の場合と薄暮視の場合のそれぞれについて表示されてもよい。また、矯正不能成分の大きさを示す値（例えば、高次収差量、及びＲＭＳ（円周方向のディオプトリの近似カーブに対する測定値の誤差の自乗平均和）等の情報）が付加されていてもよい（マップ１０９ｂ参照）。
【００５０】
また、屈折マップ１０９ａおよび眼鏡矯正不能成分マップ１０９ｂが同時に表示される場合が、図３には示されているが、Ｓ４の処理は、一方の画像のみを表示する処理であってもよい。
【００５１】
前眼部画像１１１は、シミュレーションにおける環境下での瞳孔の大きさを少なくとも表す。本実施形態では、明所視でのシミュレーション画像が表示される場合には、明所視における前眼部画像１１１が表示される。また、薄暮視でのシミュレーション画像が表示される場合には、薄暮視における前眼部画像１１１が表示される。前眼部画像１１１には、瞳孔径の測定値の表示が付加されていてもよい。
【００５２】
処理装置１は、モニタ上に表示されるシミュレーション画像および前眼部画像１１１を、明所視に関するものと、薄暮視に関するものとで切り替え可能な構成であってもよい。より詳細には、明所視および薄暮視のうち一方の環境下における画像が表示されている場合に、表示切替信号の処理装置１への入力に基づいて他方の環境下における画像に切り替えられる構成であってもよい。ここで、表示切替信号は、画面上のシミュレーション画像または前眼部画像１１１をポインティングデバイス等を用いて選択する等、入力部４０に対する所定の操作によって出力される信号であってもよい。
【００５３】
なお、眼球モデル画像１０１の部位と特性情報画像との対応付けを表すためには、様々な表示手法が使用可能である。例えば、特性情報画像を眼球モデル画像１０１の対応部位に接近させて配置することによって両者の対応付けが表されてもよい。また、眼球モデル画像１０１の部位上に、対応する特性情報画像を重畳させることによって、対応付けが表されてもよい。また、特性情報画像と眼球モデル画像１０１との対応付けを示すシンボル（例えば、線、矢印、吹き出し等）が用いられてもよい。また、ポインティングデバイス等の操作によって眼球モデル画像１０１上のグラフィック（例えば、グラフィック１０２〜１０４）が選択された場合に、選択された部位と対応する特性情報画像の表示態様を変更することによって、対応付けが表されてもよい。一例として、眼球モデル上のグラフィックが選択された場合に、選択された部位に対応する特性情報画像を拡大、点滅などによって強調表示する方法、予め非表示にされていた特性情報画像をポップアップ表示する方法等が挙げられる。
【００５４】
また、本実施形態の表示制御処理（Ｓ４）には、モニタ５０の画面上に表示される特性情報画像のうち少なくとも一つの画像を、表示中の画像から別態様の画像へと、切り替える処理が含まれていてもよい。例えば、眼内情報画像１０８として水晶体の混濁分布を表す画像が表示中であれば、眼内情報画像１０８は、水晶体屈折マップ等の別態様の画像に切り替えられる。表示させる画像の選択は、例えば、入力部４０への操作入力に基づいてＣＰＵ３０が行ってもよい。操作入力の具体例としては、ポインティングデバイスのカーソルを特性情報画像に配置すること等が挙げられる。表示が切り替えられる特性情報画像が指定された場合に、表示制御処理（Ｓ４）によって、切替可能な候補のインデックス情報（例えば画像名、サムネイル画像等）の一覧が表示されてもよい。この場合は、候補の中から検者によって選択された特性情報画像が、ＣＰＵ３０によって新たに表示される。なお、検者からの選択入力は、入力部４０を介して行われる。
【００５５】
また、図３に示すように、本実施形態の表示制御処理（Ｓ４）では、被検眼の前方に、矯正レンズ（図３では眼鏡レンズ）を示すレンズグラフィック１１０が、ＣＰＵ３０によって表示される。
【００５６】
本実施形態において、表示制御処理（Ｓ４）には、モニタ５０上におけるレンズグラフィック１１０の表示態様を、眼球モデル画像１０１の眼球に対する眼鏡レンズの装用を表す態様と、眼球モデル画像１０１の眼球に対する眼鏡レンズの非装用を表す態様とのうち一方に制御する処理が含まれる。例えば、眼鏡レンズの装用を表す態様と、非装用を表す態様とで、レンズグラフィック１１０の配置が異なっていてもよい。より具体的には、図３のように、眼球モデル画像１０１の眼球の視線方向前方位置にレンズグラフィック１１０が配置されることによって、眼鏡レンズの装用が表されてもよい。これに対し、眼球モデル画像１０１の眼球の視線上から離脱された位置にレンズグラフィック１１０を配置する、あるいは、レンズグラフィック１１０を非表示にすることによって、眼鏡レンズの非装用が表されてもよい。また、眼鏡レンズの装用を表す態様と、非装用を表す態様とで、レンズグラフィック１１０の強調度合いが異なっていてもよい。例えば、眼鏡レンズの装用を表す場合は、非装用を表す場合に対し、レンズグラフィック１１０を強調表示してもよい。具体例としては、強調表示の具体例としては、レンズグラフィック１１０のコントラストを高くしたり、稜線を太くしたりする等が挙げられる。
【００５７】
本実施形態では、前述のシミュレーション画像の表示モードを選択するための操作と共通の操作入力に基づいて、レンズグラフィック１１０の表示態様をＣＰＵ３０が選択する。このため、第１の表示モードにて装用シミュレーション画像が表示される場合は、眼鏡レンズの装用を表すレンズグラフィック１１０が、モニタ５０上にて同時に表示される。一方、第２の表示モードにて非装用シミュレーション画像が表示される場合は、モニタ５０上にて、レンズグラフィック１１０の表示態様は、非装用を表す態様となる。このように、本実施形態では、レンズグラフィック１１０の表示態様とシミュレーション画像の表示モードとが、連動して切り替えられる。その結果として、処理装置１は、モニタ５０上に装用シミュレーション画像と、非装用シミュレーション画像のいずれが表示されているかを、レンズグラフィック１１０の表示態様によって、検者に容易に把握させることができる。
【００５８】
また、本実施形態では、Ｓ２の処理においてシミュレーションに使用される矯正データが取得されない場合は、レンズグラフィック１１０は非表示にされてもよい。勿論、矯正データが取得されているか否かに関わり無くレンズグラフィック１１０は表示されてもよい。また、図３に示すように、レンズグラフィック１１０とあわせて、処方値等の矯正データが表されてもよい。
【００５９】
また、表示制御処理（Ｓ４）には、レンズグラフィック１１０においてレンズの円柱軸に関するグラフィック（例えば、レンズグラフィックそのもの、レンズグラフィック上の円柱軸等）を回転させる処理が含まれていてもよい。例えば、ポインティングデバイスを用いて検者が移動後の円柱軸の向き（円柱軸角度）を指定する場合に、円柱軸に関するグラフィックが移動されてもよい。また、処理装置１は、円柱軸に関するグラフィックの回転と連動して、円柱軸に関する矯正データがシミュレーションにおいて変更される構成であってもよい。このため、例えば、指定された円柱軸角度の矯正データに基づいて新たにシミュレーション画像１０５，１０６を生成する処理と、円柱軸に関するグラフィックを回転表示させると共に、モニタ上のシミュレーション画像を新たに生成されたものに更新する処理とが、ＣＰＵ３０によって行われてもよい。検者等は、円柱軸に関するグラフィックを回転させる操作によって、レンズの円柱軸が変更されたシミュレーション画像１０５，１０６を確認できる。例えば、明所視と薄暮視とで、乱視軸角度が変わってしまう被検眼に対し、適正な円柱軸を持つ矯正データをシミュレーションによって調べる場合に、本機能は特に有用である。
【００６０】
また、眼鏡レンズの装用を表す表示態様にて眼球モデル画像１０１からレンズグラフィック１０９までの距離を変更する表示制御が、Ｓ４の処理によって行われてもよい。更に、眼球モデル画像１０１とレンズグラフィック１０９との距離に連動して、シミュレーションにおける被検眼と矯正レンズとの配置間隔が変更されたシミュレーション画像を生成する処理（例えば、Ｓ３の処理）と、モニタ５０上のシミュレーション画像を、変更後の被検眼と矯正レンズの距離でシミュレーションされた画像に更新する表示制御処理（Ｓ４）とが、ＣＰＵ３０によって行われてもよい。また、モニタ５０上には、シミュレーションにおける被検眼と矯正レンズとの配置間隔を示す情報（例えば数値等）が表示されてもよい。
【００６１】
ところで、シミュレーション画像だけを見ても、適正なレンズが処方された状態がシミュレーションされているか否かを把握することは難しい。理由の一つとしては、被検眼に不正乱視がある場合には、被検眼の屈折が適正に矯正されても、ぼやけた見え方になるからである。これに対し、本実施形態の処理装置１のＣＰＵ３０は、被検眼の各部位の特性に関する特性情報画像を、眼球モデル画像１０１上の部位と対応付けて表示する。これにより、眼科分野の画像に不慣れな者であっても、各々の特性情報画像が被検眼のいずれの部位についての情報を示しているかを把握しやすい。また、特性情報画像および眼球モデル画像１０１は、シミュレーション画像１０５，１０６と共に表示される。このため、例えば、シミュレーション画像が不明瞭である場合に、検者はその理由を、特性情報画像から直感的に把握しやすい。
【００６２】
以上、実施形態に基づいて説明を行ったが、本発明は、上記実施形態に限定されることなく、様々な変形が可能である。例えば、上記実施形態では、第1シミュレーション画像１０５と、第２シミュレーション画像１０６とが、同一画面上で同時に表示される場合について説明したが、処理装置１は、２種類のシミュレーション画像のうち一方のみが表示される構成であってもよい。
【符号の説明】
【００６３】
３０      ＣＰＵ
３５      記憶部
５０      モニタ
１０１    眼球モデル画像
１０５    シミュレーション画像（第１シミュレーション画像）
１０６    シミュレーション画像（第２シミュレーション画像）
１０７    角膜情報画像
１０８    水晶体情報画像
１０９    屈折度情報画像
１１０    レンズグラフィック
【図１】
2015144730.tif 000003
【図２】
2015144730.tif 000004
【図３】
2015144730.tif 000005